(57)【要約】      （修正有）【課題】手に装着したままで、静電容量式のタッチパネル式携帯電話等のタッチパネル式機器の操作が可能であって、しかもタッチパネル機器の本体が滑り落ちないような手袋を提供する。【解決手段】全体が編糸で編成されて、手に装着したままで、静電容量式のタッチパネル式携帯電話等のタッチパネル式機器の操作が可能な手袋であって、掌部６の一部又は全部に点状樹脂（滑止め樹脂）１１が付着されて、５本の指のうち少なくとも人指指及び親指が挿入される各指袋部の先端部は、導電性繊維で編成された導電部Ｅとする。【選択図】図５
0003167327.tif 000002
【実用新案登録請求の範囲】
【請求項１】
全体が編糸で編成されて、手に装着したままで、静電容量式のタッチパネル式携帯電話等のタッチパネル式機器の操作が可能な手袋であって、
掌部の一部又は全部に滑止め樹脂が付着されて、５本の指のうち少なくとも人差指、及び親指が挿入される各指袋部の先端部は、導電性繊維を含む導電性編糸で編成された導電部となっていることを特徴とするタッチパネル操作可能な手袋。
【請求項２】
前記導電部を編成する導電性繊維を含む導電性編糸の色彩と、当該導電性を除く部分を編成する一般編糸の色彩とは、同一又は近似していることを特徴とする請求項１に記載のタッチパネル操作可能な手袋。
【請求項３】
全指袋部の内側であって、導電性編糸で編成されている部分を除く部分には、滑止め樹脂が付着されていることを特徴とする請求項１又は２に記載のタッチパネル操作可能な手袋。
【請求項４】
前記掌部には、滑止め用の多数の点状樹脂が付着され、指袋部の内側における導電性編糸で編成された部分を除く部分には、滑止め用の樹脂が指先方向に沿って連続して付着されていることを特徴とする請求項１ないし３のいずれかに記載のタッチパネル操作可能な手袋。
【請求項５】
前記指袋部の内側に付着された樹脂は、指先方向に沿って連続したハの字状となっていることを特徴とする請求項４に記載のタッチパネル操作可能な手袋。
【考案の詳細な説明】
【技術分野】
【０００１】
本考案は、全体が編糸で編成されて、手に装着したままで、静電容量式のタッチパネル式携帯電話等のタッチパネル式機器の操作が可能な手袋に関するものである。
【背景技術】
【０００２】
近時、静電容量式のタッチパネル式携帯電話等のタッチパネル式機器が普及し始めている。一方、冬季には、手に手袋を着用することが多く、当該着用状態のままで、タッチパネル式携帯電話を操作したい場合がある。
【０００３】
手袋を着用したままで、一方の手でタッチパネル式携帯電話を持って、他方の手の指先でタッチパネルを操作しようとすると、静電容量式のタッチパネルは、手袋を装着したままであると、当該手袋を構成する一般の編糸が絶縁体に近い物性を有しているために、タッチパネルの所定部を指先で押しても、指袋部を形成している編糸に対しては通電しないために静電容量は検知されない。即ち、手袋を装着したままでは、タッチパネルのタッチ部の静電容量が変化しないために、結果としてタッチパネルの操作ができない。
【０００４】
静電容量式のタッチパネルの操作が可能な手袋として、特許文献１に開示のものが知られている。手袋の指先の内側に別体の導電体を取付けたものである。導電体としては、導電性を有する糸が挙げられ、指先の内側に縫い込んで使用される。その他の別体の導電体としては、導電性を有する塗料、ゴム、金属を貼り付ける場合が挙げられている。
【０００５】
しかし、近時の静電容量式の携帯電話のタッチパネルには、大きな指先を有する男性の指先の全体をタッチさせた場合には、指先の大きさに対して目的とするタッチ部の領域（面積）が狭過ぎて、当該目的タッチ部と、当該目的タッチ部に隣接する別のタッチ部とを同時にタッチして、誤操作を起こす場合がある。そこで、指先の内側の部分を側方に配置させて、当該指先を起こした状態で、タッチ操作を行う場合、或いは特に女性の場合には、長く延びた爪の先をタッチさせて操作する場合もある。特許文献１に開示の手袋では、指先の内側の部分のみに導電体が取付けられているために、上記した指先を起こした状態、或いは長く延びた爪の先では、当該部分に導電体が存在しないために、タッチ操作ができない問題がある。
【０００６】
また、タッチパネル式携帯電話の本体の表面は滑らかなために、手袋を装着した手で当該携帯電話の本体を持つと、滑り落ち易い。このように、手袋をしたままで物を持つ場合において、摩擦抵抗を大きくするために、手袋の掌部、或いは指袋部の内側に多数の樹脂突起を付着させた手袋は、種々知られている（特許文献２，３）。
【０００７】
しかし、手袋を装着したままで、タッチパネルに対して指先をどのように配置しても、静電容量式のタッチパネル式携帯電話の操作が可能な手袋は、存在していなかった。
【先行技術文献】
【特許文献】
【０００８】
【特許文献１】特開２００８−８１８９６号公報
【特許文献２】特開平１０−２９８８０８号公報
【特許文献３】特開２００１−２３４４０９号公報
【考案の概要】
【考案が解決しようとする課題】
【０００９】
本考案は、手に手袋を装着した状態で、タッチパネルに対して指先をどのように配置しても、静電容量式のタッチパネル式携帯電話等のタッチパネル式機器の操作を可能にすることを課題としている。
【課題を解決するための手段】
【００１０】
上記課題を解決するための請求項１の考案は、全体が編糸で編成されて、手に装着したままで、静電容量式のタッチパネル式携帯電話等のタッチパネル式機器の操作が可能な手袋であって、掌部の一部又は全部に滑止め樹脂が付着されていて、５本の指のうち少なくとも人差指、及び親指が挿入される各指袋部の先端部は、導電性繊維を含む導電性編糸で編成された導電部となっていることを特徴としている。
【００１１】
請求項１の考案によれば、手袋の全指袋部のうち少なくとも人差指、及び親指が挿入される各指袋部の先端部は、導電性繊維を含む導電性編糸で編成されていて、当該導電性繊維は通電可能である。よって、手袋を装着した一方の手でタッチパネル式機器の本体を持って、手袋をした他方の手でタッチパネルを操作した場合に、タッチ部の静電容量の検出が可能となるため、手袋を装着したままで、静電容量式のタッチパネルの操作が可能となる。
【００１２】
特に、手袋の全指袋部のうち少なくとも人差指、及び親指が挿入される各指袋部の先端部は、導電性編糸で筒状に編成されて先端部が閉塞されているために、タッチパネルに対して指先をどのように配置しても、導電性編糸の部分がタッチパネルの目的位置にタッチするために、パネル操作が可能となる。この結果、人の指先の大きさに比較して目的とするタッチ部の領域が狭くて、目的タッチ部と、当該目的タッチ部に隣接する別のタッチ部とを同時にタッチさせてしまう恐れがある場合には、指先の内側の部分を側方に配置させて、当該指先を起こした状態で、タッチ操作を行ったり、或いは長く延びた爪の先でタッチ操作を行うことが可能となる。
【００１３】
また、５本の指のうち少なくとも人差指、及び親指が挿入される各指袋部の先端部は、導電性繊維を含む導電性編糸で編成されていて、発生した静電気は導電性編糸の部分を流れて消失するので、即ち、指袋部を編成している導電性編糸が静電気をシールドするので、手袋を他の物品に摩擦接触させても静電気の発生を抑制できて、静電気による紙・ゴミ類の吸着を併せて防止できる。
【００１４】
また、タッチパネル式機器を持っている手袋の掌部の一部又は全部に滑止め樹脂が付着されて、摩擦抵抗が増大されているため、手袋を装着したままでタッチパネル式機器の本体を持っても、当該本体が滑り落ちることはない。
【００１５】
請求項２の考案は、請求項１の考案において、前記導電部を編成する導電性繊維を含む導電性編糸の色彩と、当該導電性を除く部分を編成する一般編糸の色彩とは、同一又は近似していることを特徴としている。
【００１６】
請求項２の考案によれば、外観からは導電部は認識されないので、ただ単に掌部に滑止め樹脂が付着された一般の手袋と認識される。
【００１７】
また、請求項３の考案は、請求項１又は２の考案において、全指袋部の内側であって、導電性編糸で編成されている部分を除く部分には、滑止め樹脂が付着されていることを特徴としている。
【００１８】
請求項３の考案によれば、人の手におけるタッチパネルの操作をする部分は、人差指、及び親指の先端部内側が主体となっていて、当該部分は、導電性繊維を含む導電線編糸で編成されており、人の手の上記以外の部分は、タッチパネルの操作には殆ど使用しない。このために、手袋の人差指袋、及び親指袋の先端部以外の部分に、滑止め樹脂が付着されていても、タッチパネルの操作には支障がないと共に、タッチパネル式機器の本体を、手袋を装着した手で持った場合において、薬指、小指の先端部内側が前記本体に大きな摩擦抵抗を有して接触するために、当該本体の滑り落ちを一層確実に防止できる。
【００１９】
また、請求項４の考案は、請求項１ないし３のいずれかの考案において、前記掌部には、滑止め用の多数の点状樹脂が付着され、指袋部の内側における導電性編糸で編成された部分を除く部分には、滑止め用の樹脂が指先方向に沿って連続して付着されていることを特徴としている。
【００２０】
タッチパネル式機器を手で持って操作する場合には、各指を折り曲げて、当該タッチパネル式機器の周縁部を把持することが多い。請求項４の考案では、全指袋部の内側における導電性編糸で編成された部分を除く部分には、滑止め用の樹脂が指先方向に沿って連続して付着されているため、折り曲げた各指によるタッチパネル式機器の把持が確実となって、手の間からタッチパネル式機器が素抜けるようにして滑り落ちるのを一層効果的に防止できる。
【００２１】
請求項５の考案は、請求項４の考案において、前記指袋部の内側に付着された樹脂は、指先方向に沿って連続したハの字状となっていることを特徴としている。
【００２２】
各指袋部の内側を含めて、掌部の全体に、多数の滑止め樹脂が点状に付着されている場合には、一見して「滑止め付作業手袋」のように認識されるが、請求項５の考案では、全指袋部の内側における導電性編糸で編成された部分を除く部分には、滑止め用の樹脂が指先方向に沿って連続して付着されており、各指袋部の内側に連続して付着されたハの字状樹脂は、特殊な模様のように認識される結果、本来の滑止めの機能を果たしたうえで、手袋としてのファッション性が付与されて、見栄えが良くなる。
【考案の効果】
【００２３】
本考案に係る手袋は、手袋の全指袋部のうち少なくとも人差指、及び親指が挿入される各指袋部の先端部は、導電性繊維を含む導電性編糸で編成されているために、手袋を装着した一方の手でタッチパネル式機器の本体を持って、手袋をした他方の手でタッチパネルを操作した場合に、タッチ部の静電容量の検出が可能となるため、手袋を装着したままで、静電容量式のタッチパネルの操作が可能と共に、タッチパネル式機器の本体を持っている手袋の掌部の一部又は全部に滑り止め樹脂が付着されて、摩擦抵抗が大きくなっているため、手袋を装着したままでタッチパネル式機器の本体を持っても、当該本体が滑り落ちることはない。
【図面の簡単な説明】
【００２４】
【図１】本考案に係るタッチパネル操作可能な手袋Ｇの正面図である。
【図２】同じく背面図である。
【図３】（ａ），（ｂ）は、それぞれ本考案に係る手袋Ｇの左側面図及び右側面図である。
【図４】（ａ），（ｂ）は、それぞれ本考案に係る手袋Ｇの平面図及び底面図である。
【図５】図１のＸ1 −Ｘ1 線断面図である。
【図６】図１のＸ2 −Ｘ2 線断面図である。
【図７】本考案に係る手袋Ｇを装着して、タッチパネル式携帯電話Ｔを操作している状態の斜視図である。
【図８】本考案に係る手袋Ｇを装着した状態で、長く延びた爪３１の先でタッチパネル式携帯電話Ｔを操作している状態の斜視図である。
【図９】（ａ）は、本考案に係る手袋Ｇを装着した状態で、指先の内側を側方に向けて、当該指先を起こした状態で、タッチパネル式携帯電話Ｔを操作している状態の断面図であり、（ｂ）は、（ａ）のＹ−Ｙ線断面図である。
【考案を実施するための形態】
【００２５】
以下、図１〜図７に示される実施例を挙げて、本考案について更に詳細に説明する。図１は、本考案に係るタッチパネル操作可能な手袋Ｇの正面図であり、図２は、同じく背面図であり、図３（ａ），（ｂ）は、それぞれ本考案に係る手袋Ｇの左側面図及び右側面図であり、図４（ａ），（ｂ）は、それぞれ本考案に係る手袋Ｇの平面図及び底面図であり、図５は、図１のＸ1 −Ｘ1 線断面図であり、図６は、図１のＸ2 −Ｘ2 線断面図であり、図７は、本考案に係る手袋Ｇを装着して、タッチパネル式携帯電話Ｔを操作している状態の斜視図である。
【００２６】
本実施例の手袋Ｇは、図１〜図６に示されるように、親指袋部１、人差指袋部２及び中指袋部３の長さ方向に沿って先端側の約半分のみが導電性繊維を含む導電性編糸で編成された導電部Ｅとなっており、残りの全ての部分、即ち、親指袋部１、人差指袋部２及び中指袋部３の導電部Ｅを除く残りの部分、薬指袋部４、小指袋部５、掌部６、甲部７及び手首部８は、いずれも一般の編糸で編成されているために、絶縁体に近い性質を有している。また、図１及び図２では、導電部Ｅを他の部分と識別するために、ドット表示してあるが、本実施例では、当該導電部Ｅを形成する導電性編糸の色彩と、当該導電部Ｅ以外の部分を編成する一般の編糸の色彩とは、同一又は近似していて、外観からして、当該導電部Ｅは認識できない。なお、手首部８には、伸縮性を付与するために、前記編糸に弾性糸が混入されて、編成されている。
【００２７】
ここで、導電性繊維の一例としては、ポリピロール系の導電性ポリマーを繊維の表面に均一に被覆して導電化したものが挙げられる。具体的には、ポリエステル（８５％）と、日本蚕毛染色株式会社製の導電性繊維であるサンダーロン（登録商標）〔１５％〕とから成る株式会社ユニチカ製のＳＳスパンミシン糸を導電性編糸として使用した。導電性編糸は、導電性繊維を含んでいない一般編糸に比較して電気抵抗が小さいために、通電し易く、帯電性も高い。上記したＳＳスパンミシン糸の比抵抗は、ほぼ１０3 （Ωｍ）である。
【００２８】
例えば、タッチパネル式携帯電話Ｔ（図７参照）をタッチパネル操作する場合には、人差指、親指が高頻度で使用され、当該２本の指よりもやや低い頻度で中指が使用されるために、親指袋部１、人差指袋部２及び中指袋部３の先端側の約半分を導電部Ｅとすることにより、手袋Ｇを装着したままで、前記タッチパネル操作が可能となる。即ち、手袋Ｇの前記導電部Ｅは通電するために、手袋Ｇの親指袋部１、人差指袋部２及び中指袋部３を、タッチパネル２２（図７参照）の必要部にタッチさせると、タッチ部の静電容量が変化して、当該タッチ部が認識されて、タッチパネル操作が可能となる。
【００２９】
また、手袋Ｇの掌部６の全面には、滑止め用の多数の点状樹脂１１が付着されて、手袋Ｇを装着した状態で、タッチパネル式携帯電話Ｔ等の諸物品を持った場合に、多数の点状樹脂１１との接触による摩擦の増大により、滑り落ちないようにしてあると共に、多数の点状樹脂１１が小さな点状であるために、掌部６は、自由に変形して、手袋Ｇを装着した手の自由な動きを大きく低下させることはない。
【００３０】
また、親指袋部１、人差指袋部２及び中指袋部３の内側（掌部６の側）であって、基端の部分から前記導電部Ｅに僅かに入り込んだ部分には、ハの字形をしたハの字状樹脂１２が指先方向に向けて連続して付着されている。また、薬指袋部４及び小指袋部５の内側の先端を除く部分にも、同様のハの字状樹脂１２が連続して付着されており、先端部には、同心円状樹脂１３が付着されている。薬指袋部４及び小指袋部５の内側の先端に付着された同心円状樹脂１３は、また、図７に示されるように、タッチパネル式携帯電話Ｔの本体２１を一方の手で持った場合に、薬指袋部４及び小指袋部５の先端部は、当該本体２１の側面部に配置されることが多く、当該薬指袋部４及び小指袋部５の内側の先端に付着された同心円状樹脂１３は、前記本体２１の側面に当てられて、当該本体２１が滑り落ちることなくしっかりと支えることが可能となる。
【００３１】
また、ハの字状樹脂１２及び同心円状樹脂１３は、いずれも本来の摩擦抵抗を高める機能を備えているのに加えて、全ての指袋部１〜５の内側、及び掌部６である手袋の内側の全体に点状樹脂１１が付着されていると、「滑止め付作業手袋」のように認識されて、手に装着したままで、タッチパネル式携帯電話Ｔを操作するには、違和感があるが、全ての指袋部１〜５の内側には、その全体又はその半分の部分に、ハの字状樹脂１２及び同心円状樹脂１３が付着されていて、当該ハの字状樹脂１２及び同心円状樹脂１３は、その形状自体に模様価値があって、ファッション性が高められる。このため、本考案に係る手袋Ｇとタッチパネル式携帯電話Ｔとがファッション的に馴染んで、操作状態自体がスマートな感じを与える。なお、図６において、４’は、人の薬指を示す。
【００３２】
そして、図７に示されるように、本考案に係る手袋Ｇを両手に装着したままで、一方の手（通常は左手）の掌部６から親指を除く残りの４本の各指の部分に、タッチパネル式携帯電話Ｔの本体２１を配置して、全指の先端部、及び掌部６で前記本体２１を保持した状態で、他方の手の人差指及び親指、更に必要に応じて中指の先端部により、本体２１のタッチパネル２２をタッチして、操作を行う。タッチパネル操作を行う側の手に手袋Ｇを装着したままでも、タッチパネル操作が可能な理由は、上記した通りである。また、上記の状態でタッチパネル式携帯電話Ｔの本体２１を保持すると、保持している側の手袋Ｇの内側に付着された多数の点状樹脂１１、ハの字状樹脂１２及び同心円状樹脂１３が前記本体２１と接触することにより発生する大きな摩擦抵抗により、当該本体２１は、簡単には掌部６の部分から滑り落ちないので、安全である。
【００３３】
一方、タッチパネル式携帯電話Ｔの非操作時において、手袋Ｇを装着したままであっても、５本の全指袋部１〜５の内側に付着されているハの字状樹脂１２及び同心円状樹脂１３の特殊な模様によって、「滑止め付作業手袋」のようには認識されなくて、豊かなファッション性を備えているので、違和感は全くない。
【００３４】
また、本考案に係る手袋Ｇは、親指袋部１、人差指袋部２及び中指袋部３の先端部の全体が、先端が閉塞された筒状に形成されているために、図８に示されるように、本考案に係る手袋Ｇを装着したままで、タッチパネル２２に対して人差指２’をほぼ垂直に立てて、その爪３１の先端をタッチパネル２２のタッチ部に人差指袋部２を介してタッチさせる操作も可能である。これにより、指先の大きさに対して目的とするタッチ部の領域（面積）が狭過ぎて、指先をそのままタッチさせた場合には、目的とするタッチ部に隣接する別のタッチ部をタッチさせて、誤操作が生ずる恐れがある場合において、上記したようなタッチ面積の小さな爪３１の先端による操作によって、誤操作を生ずることなく正確な操作が可能となる。
【００３５】
更に、図９（ａ），（ｂ）に示されるように、人差指２’の内側２'aを側方に向けることにより、当該人差指２’をタッチパネル２２に対して起こした状態で、タッチパネル２２の目的とするタッチ部をタッチさせることも可能である。上記のように、人差指２’を起こした場合には、当該人差指２’の指先の内側を直接にタッチパネル２２の目的のタッチ部にタッチさせる場合に比較して、タッチ面積が小さくなって、誤操作がなくなる。また、図９（ｂ）に示されるように、人差指２’を起こした状態で、スライドさせることにより、別のタッチ部を容易にタッチできる。なお、図９（ｂ）において、３２は、人差指２’の爪を示す。
【００３６】
また、前記実施例では、導電性編糸で編成された導電部Ｅは、親指袋部１、人差指袋部２及び中指袋部３の先端側の約半分の部分に設けられているが、全指袋部１〜５の先端側の約半分の部分に導電部Ｅを設けることも可能である。
【００３７】
また、上記実施例の手袋Ｇは、導電部Ｅを形成する導電性編糸の色彩と、当該導電部Ｅ以外の部分を編成する一般の編糸の色彩とは、同一又は近似していて、外観上、当該導電部Ｅの認識はできないが、当該導電部Ｅを他の部分の編糸とは異なる色彩にして、目立たせることも可能である。
【００３８】
また、手袋Ｇの掌部６及び全指袋部１〜５の内側に付着される滑止め樹脂に関しても、その形状は、上記のものに限定されない。
【符号の説明】
【００３９】
Ｅ：導電部
Ｇ：手袋
Ｔ：タッチパネル式携帯電話（タッチパネル式機器）
１：親指袋部
２：人差指袋部
３：中指袋部
４：薬指袋部
５：小指袋部
１１：点状樹脂
１２：ハの字状樹脂
１３：同心円状樹脂
２１：タッチパネル式携帯電話の本体
２２：タッチパネル式携帯電話のタッチパネル
【図１】
0003167327.tif 000003
【図２】
0003167327.tif 000004
【図３】
0003167327.tif 000005
【図４】
0003167327.tif 000006
【図５】
0003167327.tif 000007
【図６】
0003167327.tif 000008
【図７】
0003167327.tif 000009
【図８】
0003167327.tif 000010
【図９】
0003167327.tif 000011